(57)【特許請求の範囲】
【請求項１】
光源からの光を変調して投写レンズユニットから投写された映像光を反射ミラーにて反射させて被投写面に投写する投写型表示装置において、
本体キャビネットと、
前記反射ミラーにて反射された映像光を外部に導くために前記本体キャビネットに配された投写口と、
前記本体キャビネットの前記投写口を挟む２つの側面の少なくとも一方に設けられた排気口と、
前記本体キャビネット内に配された被冷却部との熱交換によって温まった空気を、前記排気口を通じて外部に排出する排気ユニットと、を備え、
前記排気ユニットは、
排気ファンと、
前記排気ファンから排出された空気を、前記投写レンズユニットの投写方向へ向かわせる偏向部材と、を含む、
ことを特徴とする投写型表示装置。
【請求項２】
請求項１に記載の投写型表示装置において、
前記偏向部材は、さらに、前記被投写面に平行な方向において、前記投写口から出射された前記映像光から離れるように、前記排気ファンから排出された空気を向かわせる、
ことを特徴とする投写型表示装置。
【請求項３】
請求項１または２に記載の投写型表示装置において、
前記偏向部材は、複数の羽板部が所定間隔で配列されたルーバー構造を有する、
ことを特徴とする投写型表示装置。
【請求項４】
請求項３に記載の投写型表示装置において、
前記羽板部は、前記排気ファンから排出された空気が当たる面が凹湾曲面に形成される、
ことを特徴とする投写型表示装置。
【請求項５】
請求項３または４に記載の投写型表示装置において、
前記排気ファンは、前記光源に隣接して配されるとともに、
前記排気ユニットは、さらに、隣り合う前記羽板部の間から前記排気口側へと漏れる前記光源の光を遮蔽する遮蔽部材を含む、
ことを特徴とする投写型表示装置。
【請求項６】
請求項１ないし５の何れか一項に記載の投写型表示装置において、
前記排気ファンから排出される空気が、前記被投写面に平行な方向において、前記投写口から出射された前記光から離れるように、前記排気ファンが前記本体キャビネットに対して傾けられる、
ことを特徴とする投写型表示装置。
【請求項７】
請求項１ないし６の何れか一項に記載の投写型表示装置において、
前記投写口を挟む２つの側面のうち何れか一方のみに前記排気口が配され、
前記投写口は、前記２つの側面の中間よりも前記排気口から離れる方向に偏った位置に配置される、
ことを特徴とする投写型表示装置。
【発明の詳細な説明】
【技術分野】
【０００１】
本発明は、光源からの光を光変調素子によって変調し、被投写面に拡大投写する投写型表示装置に関する。
【背景技術】
【０００２】
従来、液晶プロジェクタ等の投写型表示装置（以下、「プロジェクタ」という）では、液晶パネルなどの光変調素子よって変調された光（以下、「映像光」という）が、投写レンズによって被投写面に投写される。かかるプロジェクタでは、光源や光変調素子、電源ユニット等において発熱が生じるため、これら発熱部を冷却する必要がある。
【０００３】
そこで、かかるプロジェクタにおいて、外部から取り込んだ空気を発熱部に供給し、発熱部との熱交換によって温まった空気を外部に排出することにより、発熱部を冷却する構成がとられ得る。この場合、たとえば、本体キャビネット内には排気ファンが配され、排気ファンによって吸引された空気が、本体キャビネットの排気口を通じて外部へ排出される（たとえば、特許文献１、特許文献２参照）。
【０００４】
なお、本体キャビネットの排気口は、光源や光変調素子などの構成部品の配置との関係によって、本体キャビネットの様々な面（上下、左右、および前後の面）に設けられ得る。 
【先行技術文献】
【特許文献】
【０００５】
【特許文献１】特開２００９−１８１１１３号公報
【特許文献１】特開２００８−２６２０６２号公報
【発明の概要】
【発明が解決しようとする課題】
【０００６】
近年、被投写面（スクリーン等）に対して、より小さな距離で画像を投写することができる、いわゆる短焦点投写型のプロジェクタが商品化されている。かかるプロジェクタでは、映像光の広がり角がかなり大きくなる。他方、排気口から排気された空気も、広がって進む。このため、排気口の配置によっては、排気された空気が映像光に掛かり易くなる。排出された空気は比較的高温であるため、このような高温の空気が映像光に掛かってしまうと、被投写面に投写された画像に揺らぎが生じる惧れがある。
【０００７】
本発明は、このような課題に鑑みてなされたものであり、排出された空気が映像光に掛かるのを抑制できる投写型表示装置を提供することを目的とする。
【課題を解決するための手段】
【０００８】
本発明は、光源からの光を変調して投写レンズユニットから投写された映像光を反射ミラーにて反射させて被投写面に投写する投写型表示装置に関する。本発明の投写型表示装置は、本体キャビネットと、前記反射ミラーにて反射された映像光を外部に導くために前記本体キャビネットに配された投写口と、前記本体キャビネットの前記投写口を挟む２つの側面の少なくとも一方に設けられた排気口と、前記本体キャビネット内に配された被冷却部との熱交換によって温まった空気を、前記排気口を通じて外部に排出する排気ユニットとを備える。ここで、前記排気ユニットは、排気ファンと、前記排気ファンから排出された空気を、前記投写レンズユニットの投写方向へ向かわせる偏向部材とを含む。
【０００９】
本発明の投写型表示装置によれば、排気口から排出される空気を被投写面から離れる方
向へ向かわせることができるので、排気口から排出された空気が映像光に掛かるのを抑制できる。
【００１０】
本発明の投写型表示装置において、前記偏向部材は、さらに、前記被投写面に平行な方向において、前記投写口から出射された前記映像光から離れるように、前記排気ファンから排出された空気を向かわせるような構成とされ得る。
【００１１】
このような構成とすれば、排気口から排出された空気が映像光に掛かるのを、より一層抑制できる。
【００１２】
本発明の投写型表示装置において、前記偏向部材は、複数の羽板部が所定間隔で配列されたルーバー構造を有するような構成とされ得る。
【００１３】
また、偏向部材がルーバー構造を含む構成とされる場合において、前記羽板部は、前記排気ファンから排出された空気が当たる面が凹湾曲面に形成され得る。
【００１４】
このような構成とすれば、羽板部に形成された凹湾曲面によって空気の流れを円滑に変えることができる。
【００１５】
さらに、偏向部材がルーバー構造を含む構成とされる場合において、前記排気ファンは、前記光源に隣接して配され得る。この場合、前記排気ユニットは、さらに、隣り合う前記羽板部の間から前記排気口側へと漏れる前記光源の光を遮蔽する遮蔽部材を含むような構成とされ得る。
【００１６】
このような構成とすれば、光源を良好に冷却することができるとともに、光源から漏れた光が隣り合う羽板部の間および排気口を通じて外部に漏れるのを抑制できる。
【００１７】
本発明の投写型表示装置において、前記排気ファンから排出される空気が、前記被投写面に平行な方向において、前記投写口から出射された前記光から離れるように、前記排気ファンが前記本体キャビネットに対して傾けられる構成とされ得る。
【００１８】
このような構成とすれば、排気口から排出された空気が映像光に掛かるのを、より一層抑制できる。
【００２１】
本発明の投写型表示装置は、前記投写口を挟む２つの側面のうち何れか一方のみに前記排気口が配されるような構成とされ得る。この場合、前記投写口は、前記２つの側面の中間よりも前記排気口から離れる方向に偏った位置に配置され得る。
【００２２】
このような構成とれば、光の投写領域が投写型表示装置の中心よりも排気口と反対側にシフトする。このため、排気口から排出された空気が映像光に掛かり難くなる。
【発明の効果】
【００２３】
以上のとおり、本発明によれば、排出された空気が映像光に掛かるのを抑制できる投写型表示装置を提供することができる。
【００２４】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２５】
【図１】実施の形態に係るプロジェクタの外観構成を示す図（斜視図）である。
【図２】実施の形態に係るプロジェクタの外観構成を示す図（底面図）である。
【図３】実施の形態に係るプロジェクタの内部構造を示す図である。
【図４】実施の形態に係る投写光学ユニットの構成を模式的に示す図である。
【図５】実施の形態に係る第１排気ユニットの構成を示す図である。
【図６】実施の形態に係る第１ファンカバーの構成を示す図である。
【図７】実施の形態に係る第２排気ユニットの構成を示す図である。
【図８】実施の形態に係る第１排気ファンおよび第２排気ファンが、それぞれのファンカバーが取り外された状態で本体キャビネットに配置されている状態を示す図である。
【図９】実施の形態に係る第１排気ファンおよび第２排気ファンが、それぞれのファンカバーが装着された状態で本体キャビネットに配置されている状態を示す図である。
【図１０】実施の形態に係る本体キャビネットから排出される空気の流れについて説明するための図である。
【図１１】実施の形態に係るプロジェクタの投写形態と効果を説明する図である。
【発明を実施するための形態】
【００２６】
以下、図面を参照して、本発明の実施の形態について説明する。
【００２７】
図１および図２は、プロジェクタの外観構成を示す図である。図１（ａ）は、前方から見たプロジェクタの斜視図であり、図１（ｂ）は後方から見たプロジェクタの斜視図である。また、図２は、プロジェクタの底面図である。なお、説明の便宜上、図１（ａ）、（ｂ）および図２には、ぞれぞれ、前後左右の方向を示す矢印や上下の方向を示す矢印が描かれている。以下、同様に、他の図面においても、必要に応じて、方向を示す矢印が描かれる。
【００２８】
本実施の形態のプロジェクタは、いわゆる短焦点投写型のプロジェクタである。図１を参照して、プロジェクタは、略直方体形状を有する本体キャビネット１を備えている。本体キャビネット１は、下キャビネット２と、下キャビネット２に上方から被せられる上キャビネット３とで構成されている。
【００２９】
本体キャビネット１の上面には、後方に向けて下る第１傾斜面１ａと、この第１傾斜面１ａに続いて後方に向けて上る第２傾斜面１ｂが形成されている。第２傾斜面１ｂは上斜め前方を向いており、この第２傾斜面１ｂに投写口４が形成されている。投写口４から上斜め前方へ出射された映像光が、プロジェクタの前方に配されたスクリーンに拡大投写される。
【００３０】
また、本体キャビネット１の上面には、ランプ用カバー５が設けられている。本体キャビネット１の上面には、ランプユニットを交換するためのランプ用開口と、ランプユニットを冷却するファンユニットに配されたフィルタを交換するためのフィルタ開口が形成されている。ランプ用カバー５は、これらランプ用開口およびフィルタ用開口を覆うためのカバーである。さらに、本体キャビネット１の上面には、複数の操作キーからなる操作部
６が設けられている。
【００３１】
本体キャビネット１の右側面には、端子口部７が形成されている。端子口部７には、ＡＶ端子等の各種の端子を有する端子パネル２３３が配されている。端子パネル２３３は、後述する制御回路ユニットの一部を構成する。プロジェクタには、ＡＶ端子を通じて、映像信号や音声信号などのＡＶ（Audio Visual）信号が入出力される。また、本体キャビネット１の右側面には、端子口部７の上方に、吸気口８が設けられている。吸気口８は多数のスリット状の孔によって構成されており、吸気口８を通じて外気が本体キャビネット１内に取り込まれる。
【００３２】
本体キャビネット１の左側面には、前部に第１排気口９が設けられており、中央部に第２排気口１０が設けられている。これら排気口９、１０は多数のスリット状の孔によって構成されており、これら排気口９、１０を通じて本体キャビネット１内部の空気が機外に排出される。また、本体キャビネット１の後面には、出音口１１が形成されている。出音口１１からは、投写時に映像に対応する音声が出力される。
【００３３】
図２を参照して、キャビネット１の底面には、前部中央部に固定脚１２が設けられており、後端部に２つの調整脚１３が設けられている。２つの調整脚１３を上下に伸縮させることにより、本体キャビネット１の前後方向および左右方向の傾きが調整できる。これにより、スクリーンに投写された画像の上下の位置や左右の傾きが調整できる。
【００３４】
本実施の形態のプロジェクタでは、本体キャビネット１の底面が机や床等の設置面に設置される据え置き設置以外に、本体キャビネット１が上下逆さまにされて天井に設置される天吊り設置が可能である。また、本体キャビネット１の前面には、端子パネル２３３や吸気口８が設けられておらず、前面は平坦な面とされている。このため、本実施の形態のプロジェクタでは、本体キャビネット１の前面が設置面に設置される設置形態をとることができる。この場合、設置面自身に画像が投写される。
【００３５】
図３は、プロジェクタの内部構造を示す図である。同図は、前方から見た、上キャビネット３が取り外された状態の斜視図である。なお、便宜上、図３には、光変調ユニット１５および投写光学ユニット１７が点線にて描かれている。また、吸気口８の位置が一点鎖線にて示されている。
【００３６】
図３を参照して、下キャビネット２の前部には、ランプユニット１４と、ランプユニット１３からの光を変調して映像光を生成する光変調ユニット１５とが配されている。
【００３７】
ランプユニット１４は、光源ランプと、光源ランプを保持するランプホルダにより構成されており、上方から着脱できるよう配されている。ランプユニット１４の後方には、ファンユニット１６が配されている。ファンユニット１６は、吸気口８から取り込んだ外気（冷却風）を光源ランプに供給して、光源ランプを冷却する。ランプホルダには、ファンユニット１６からの冷却風を光源ランプへ導くための通風ダクトが設けられている。
【００３８】
光変調ユニット１５は、カラーホイールとＤＭＤ（デジタル・マイクロミラー・デバイス）とを含む。カラーホイールは、光源ランプからの白色光を、赤、緑、青等の各色光に時分割で分離する。ＤＭＤは、カラーホイールから出射された各色光を、映像信号に基づいて変調する。
【００３９】
光変調ユニット１５の後方には、投写光学ユニット１７が配されている。投写光学ユニット１７は、光変調ユニット１５により生成された映像光を拡大し、スクリーン等の被投写面に投写する。
【００４０】
図４は、投写光学ユニット１７の構成を模式的に示す図である。なお、同図には、投写光学ユニット１７に加えて、光変調ユニット１５、制御回路ユニット２３およびノイズフィルタユニット２４が模式的に描かれている。
【００４１】
投写光学ユニット１７は、投写レンズユニット１７１と、反射ミラー１７２と、これら投写レンズユニット１７１および反射ミラー１７２を収容するハウジング１７３により構成されている。投写レンズユニット１７１は、複数のレンズ１７１ａを有している。反射ミラー１７２は、曲面ミラーあるいは自由曲面ミラーである。
【００４２】
図４に示すように、光変調ユニット１５から出射された映像光は、投写レンズユニット１７１の光軸Ｌから本体キャビネット１の上面方向にシフトした位置において、投写レンズユニット１７１に入射する。入射した映像光は、投写レンズユニット１７１によってレンズ作用を受け、反射ミラー１７２に入射する。その後、映像光は、反射ミラー１７２によって広角化され、光線通過窓１７４を介して、被投写面（スクリーン面）へ投写される。
【００４３】
上記のように、映像光は、投写レンズユニット１７１の光軸Ｌから本体キャビネット１の上面方向にシフトした位置において、投写レンズユニット１７１に入射するため、反射ミラー１７２は、投写レンズユニット１７１の光軸Ｌから本体キャビネット１の底面側にシフトするようにして配置される。ここで、反射ミラー１７２は、投写レンズユニット１７１を構成する各レンズのレンズ面よりも大きな反射面を有するため、投写レンズユニット１７１の光軸Ｌに対する反射ミラー１７２のシフト量は比較的大きなものとなる。このため、投写レンズユニット１７１の下方には、本体キャビネット１（下キャビネット２）の底面との間に、比較的大きな空間Ｇが生じる。この空間Ｇは、投写レンズユニット１７１の配置位置から光変調ユニット１５の配置位置にかけて生じる。
【００４４】
図３に戻り、ファンユニット１６の後方には、電源ユニット１８が配されている。電源ユニット１８は、電源回路を備えており、プロジェクタの各電装部品に電源の供給を行う。電源ユニット１８の後方には、スピーカー１９が配されている。スピーカー１９から出力された音声は、出音口１１より外部に放出される。
【００４５】
光変調ユニット１５の右方には、ＤＭＤ用冷却ファン２０が配されている。ＤＭＤ用冷却ファン２０は、ＤＭＤを冷却するために、吸気口８から取り込んだ外気を光変調ユニット１５に供給する。なお、ＤＭＤは光変調ユニット１５内に密閉状態で配置されており、ＤＭＤが、送風された外気に直接触れることはない。
【００４６】
ランプユニット１４の左方には、第１排気ユニット２１が設けられている。第１排気ユニット２１は、光源ランプを冷却した後の冷却風を、第１排気口９を通じて外部に排出する。なお、ＤＭＤを冷却した空気も、第１排気ユニット２１よって、第１排気口９から外部に排出される。
【００４７】
電源ユニット１８の左方には、第２排気ユニット２２が設けられている。第２排気ユニット２２は、電源ユニット１８内の温まった空気を、第２排気口１０を通じて外部に排出する。電源ユニット１８内から第２排気ファン２２へ空気が流れることにより、新たな外気が吸気口８から取り込まれて電源ユニット１８内へ供給される。
【００４８】
図３および図４に示すように、本実施の形態のプロジェクタでは、投写レンズユニット１０１と光変調ユニット１５の下方に生じた上記空間Ｇに、制御回路ユニット２３およびノイズフィルタユニット２４が配されている。
【００４９】
ノイズフィルタユニット２４は、ノイズフィルタやヒューズが配された回路基板を備えており、入力された商用交流電源からノイズを除去して電源ユニット１８に供給する。
【００５０】
制御回路ユニット２３は、制御回路基板２３１と、制御回路基板２３１を保持するホルダ２３２と、端子パネル２３３と、端子パネル２３３を固定するための固定板２３４とを含む。
【００５１】
制御回路基板２３１には、光源ランプやＤＭＤなどの各種駆動部品を制御するための制御回路が配されている。また、制御回路基板２３１には、各種端子２３５が配されている。
【００５２】
端子パネル２３３には、各種端子２３５の形状に合わせた開口が形成されており、これら開口を通じて、各種端子２３５が外部に臨む。なお、図示されていないが、固定板２３４にも、各種端子２３５が通る開口が形成されている。
【００５３】
固定板２３４は、金属材料で形成されており、その上部には、シールド部２３６が形成されている。シールド部２３６には、多数の開口２３６ａが形成されており、各開口２３５ａには、金網（図示せず）が装着されている。シールド部２３６は、吸気口８の内側に配され、吸気口８から外部に漏れようとする電磁波を遮蔽する。吸気口８から取り込まれた外気は、開口２３６ａを通って本体キャビネット１内部に流入する。
【００５４】
次に、図５から図９を参照して、第１排気ユニット２１および第２排気ユニット２２の構成について詳細に説明する。
【００５５】
図５は、第１排気ユニット２１の構成を示す図である。図５（ａ）は、遮光カバー５００が装着された第１ファンカバー４００が、第１排気ファン３００に被せられる前の状態を示す斜視図である。図５（ｂ）は、図５（ａ）のＡ−Ａ´断面図である。図６は、第１ファンカバー４００の構成を示す図である。図６（ａ）は、第１ファンカバー４００の斜視図であり、図６（ｂ）は、図６（ａ）のＢ−Ｂ´断面図である。
【００５６】
図７は、第２排気ユニット２２の構成を示す図である。図７（ａ）は、第２ファンカバー７００が第２排気ファン６００に装着される前の状態を示す斜視図である。図７（ｂ）は、図７（ａ）のＣ部を右斜め前方から見た要部拡大図である。
【００５７】
図８は、第１排気ファン３００および第２排気ファン６００が、それぞれのファンカバー４００、７００が取り外された状態で本体キャビネット１に配置されている状態を示す要部の斜視図である。図９は、第１排気ファン３００および第２排気ファン６００が、それぞれのファンカバー４００、７００が装着された状態で本体キャビネット１に配置されている状態を示す要部の斜視図である。なお、図８および図９では、必要な一部の構成物品のみが図示されている。また、図９では、第１排気ユニット２１において、遮光カバー５００が図示省略されている。
【００５８】
まず、第１排気ユニット２１の構成について説明する。
【００５９】
図５に示すように、第１排気ユニット２１は、第１排気ファン３００と、第１排気ファン３００に被せられる第１ファンカバー４００と、第１ファンカバー４００に装着される遮光カバー５００とにより構成されている。
【００６０】
第１排気ファン３００は、軸流ファンであり、後方から空気を吸引し前方へ排出する。
図８に示すように、第１排気ファン３００は、本体キャビネット１の底面に垂直な軸Ｖに対し、わずかな角度（傾き角α）だけ左側面方向に傾くように、本体キャビネット１の底面に装着される。これにより、第１排気ファン３００の排気面は、本体キャビネット１の底面に平行な方向よりやや底面側に向けられる。
【００６１】
図６に示すように、第１ファンカバー４００は、ほぼ方形状の開口を有する枠体部４０１を備えている。枠体部４０１の後部には、第１排気ファン３００が収容される収容部４０１ａが形成されている。上述のように、第１排気ファン３００が傾いて配置されるため、収容部４０１ａは、上部に向かうに従って広くされている。
【００６２】
枠体部４０１の前部には、所定間隔で配列された複数の羽板部４０２からなるルーバーが形成されている。各羽板部４０２は、図６（ａ）の右下方から左上方に向かって斜めに延びており、この状態で、前側が低く後ろ側が高くなるように傾斜している。これにより、羽板部４０２の裏面４０２ａ（以下、この裏面を「偏向面４０２ａ」という）は、図６（ａ）の左後方であって斜め下に向いている。また、図６（ｂ）に示すように、羽板部４０２の偏向面４０２ａは、凹湾曲面に形成されている。
【００６３】
枠体部４０１の左右の側面には、それぞれ２か所に、爪部４０３が形成されている。また、枠体部４０１の左右の下端部には、それぞれ、２つの取付部４０４が形成されている。
【００６４】
図５に示すように、遮光カバー５００は、ほぼ方形状の前面板５０１と、前面板５０１の上端に形成された上面板５０２と、前面板５０１の左端および右端にそれぞれ形成された左面板５０３および右面板５０４とにより構成されている。遮光カバー５００は、金属材料により形成されている。
【００６５】
第１ファンカバー４００は、樹脂材料により形成されており、成形製造されることによって、隣り合う羽板部４０２の間には、図５（ｂ）に示すように、正面から見て、隙間Ｓが生じている。前面板５０１には、隙間Ｓを覆うように遮蔽部５０１ａが斜めに形成されており、遮蔽部５０１ａ以外の部分は、空気が通るように開放されている。
【００６６】
第１排気ユニット２１は、光源ユニット１４に隣接するように配置されている。このため、光源ランプ１４２から漏れた光が、羽板部４０２の隙間Ｓを通過し、外部に漏れようとする。しかしながら、隙間Ｓの前方は遮蔽部５０１ａにより遮蔽されているため、隙間Ｓからの光漏れが防止される。
【００６７】
遮光カバー５００が、第１ファンカバー４００に装着されると、上面板５０２が第１ファンカバー４００の上面に当接するとともに、左側面板５０３と右側面板５０４とが、第１ファンカバー４００の左右の側面に当接する。このとき、左側面板５０３の２つの係合孔４０３が、第１ファンカバー４００の左側の２つの爪部５０５に係合し、右側面板５０４の２つの係合孔４０３が、第１ファンカバー４００の右側の２つの爪部５０５に係合する。これにより、遮光カバー５００が前方に外れなくなる。
【００６８】
遮光カバー５００が装着された第１ファンカバー４００は、本体キャビネット１に配置された第１排気ファン３００に前方から被せられる。さらに、第１ファンカバー４００は、取付部４０４が本体キャビネット１の底面に形成されたボス部（図示せず）にネジ止めされることによって、本体キャビネット１の底面に固定される（図９参照）。
【００６９】
次に、第２排気ユニット２２の構成について説明する。
【００７０】
図７に示すように、第２排気ユニット２２は、第２排気ファン６００と、第２排気ファン６００に装着される第２ファンカバー７００とにより構成されている。
【００７１】
第２排気ファン６００は、軸流ファンであり、後方から空気を吸引し前方へ排出する。図８に示すように、第２排気ファン６００は、本体キャビネット１の底面に垂直な軸Ｖに対して平行となるように、本体キャビネット１の底面に装着される。これにより、第２排気ファン６００の排気面は、本体キャビネット１の底面に平行な方向に向けられる。
【００７２】
第２ファンカバー７００は、ほぼ方形状の前面板７０１と、前面板７０１の上端および下端にそれぞれ形成された上面板７０２および下面板７０３により構成されている。第２ファンカバー７００は、金属材料により形成されている。
【００７３】
前面板７０１には、スリット状の複数の開口７０４が所定間隔を置いて斜めに形成されている。また、前面板７０１には、所定間隔で配列された複数の羽板部７０５からなるルーバーが形成されている。各羽板部７０５は、開口７０４の上縁部に沿うように、図７（ａ）の右下方から左上方に向かって斜めに延びており、この状態で、前側が低く後ろ側が高くなるように傾斜している。これにより、羽板部７０５の裏面（以下、この裏面を「偏向面」という）は、図６（ａ）の左後方であって斜め下に向いている。
【００７４】
前面板７０１の左端部には、開口７０４の右縁部に、複数の偏向板７０６が形成されている。図７（ｂ）に示すように、各偏向板７０６は、ほぼ三角状を有し、左斜め前方に向かって延びている。第２排気ファン６００から排出され、開口７０４の右縁部の近傍を通過しようとする空気が偏向板７０６に当たる。
【００７５】
前面板７０１には、さらに、右側の上下の角部に、それぞれ、取付孔７０７が形成されている。また、下面板７０３には、後端部の左右両側に、取付孔７０９を有する取付片７０８が形成されている。
【００７６】
第２ファンカバー７００は、第２排気ファン６００の左側から、右方向にスライドされることにより第２排気ファン６００に装着される。前面板７０１の左端部と、上面板７０２の左端部には、それぞれ、当接片７１０、７１１が形成されており、第２ファンカバー７００が、適正な位置までスライドすると、これら当接片７１０、７１１が、第２排気ファン６００の左側面に当接する。
【００７７】
第２ファンカバー７００が完全に装着されると、前面板７０１の２つの取付孔７０７が、第２排気ファン６００の前側に形成された右上角部および右下角部の取付孔６０１に整合する。また、２つの取付片７０８の取付孔７０９が、第２排気ファン６００の後側に形成された左下角部および右下角部の取付孔６０２に整合する。取付孔７０７と取付孔６０１との間、および取付孔７０９と取付孔６０２との間でネジ止めがなされることにより、第２ファンカバー７００が、第２排気ファン６００に固定される（図９参照）。
【００７８】
なお、本実施の形態では、本体キャビネット１の内側面に補強用のリブ（図示せず）が複数に設けられており、補強用のリブを避けるため、第２ファンカバー７００には、対応する羽板部７０５に切欠き部７０５ａが形成されている。しかしながら、第２排気ユニット２２の配置位置を避けて、補強用のリブを設けるようにすることで、羽板部７０５に切欠き部７０５ａが形成されないようにすることもできる。
【００７９】
図１０は、本体キャビネット１から排出される空気の流れについて説明するための図である。図１０では、説明の便宜上、ランプユニット１４、ファンユニット１６、第１排気ユニット２１および第２排気ユニット２２が断面図で示されている。また、空気の流れが
矢印にて示されている。
【００８０】
プロジェクタの運転が開始され、ファンユニット１６、ＤＭＤ冷却用冷却ファン２０、第１排気ユニット２１および第２排気ユニット２２が稼働すると、吸気口８から本体キャビネット１内に外気が取り込まれる。
【００８１】
図１０に示すように、ファンユニット１４は、ランプ用冷却ファン１６１とフィルタ１６２とを備えており、本体キャビネト１内に取り込まれた空気が、フィルタ１６２を介してランプ用冷却ファン１６１に吸引される。このとき、空気に含まれる埃等がフィルタ１６２によって除去される。ランプ用冷却ファン１６１から送り出された空気は、ランプユニット１４のランプホルダ１４１に形成されたダクト１４１ａを通り、吹出口１４１ｂから光源ランプ１４２のリフレクタ内部に吹出して、光源ランプ１４２を内部から冷却する。光源ランプ１４２との熱交換によって温まった空気は排出口１４１ｃを通ってランプユニット１４から排出される。
【００８２】
ランプユニット１４から排出された空気は、第１排気ファン３００に吸引される。また、ＤＭＤを冷却することにより温まった空気も、光変調ユニット１５側から第１排気ユニット２１側へと流れてきて、第１排気ファン３００に吸引される。
【００８３】
第１排気ファン３００から排出された空気は、第１ファンカバー４００に形成されたルーバーを通過する。即ち、排出された空気は、各羽板部４０２の偏向面４０２ａに当たってその向きが変えられ、偏向面４０２ａに沿うようにしてルーバーから排出される。こうして、第１排気ユニット２１から排出された空気は、図９の白抜き矢印に示すように、第１排気口９から、本体キャビネット１の後方かつ下方に向かって排出される。
【００８４】
このとき、偏向面４０２ａは凹湾曲面に形成されているので、空気は、凹湾曲面に沿うように流れて円滑にその向きを変える。よって、第１排気ユニット２１から円滑に空気が排出される。また、第１排気ファン３００は、その排気面が下方に向ように傾けて配置されているので、真っすぐに立てて配置される場合に比べ、第１排気ユニット２１からは、より下方に向けて空気が排出される。
【００８５】
次に、第２排気ファン６００には、電源ユニット１８との熱交換により温まった空気が吸引される。第２排気ファン６００から排出された空気は、第２ファンカバー７００に形成されたルーバーを通過する。即ち、排出された空気は、各羽板部７０５の偏向面に当たってその向きが変えられ、偏向面に沿うようにしてルーバーから排出される。こうして、第２排気ユニット２２から排出された空気は、図９の白抜き矢印に示すように、第２排気口１０から、本体キャビネット１の後方かつ下方に向かって排出される。
【００８６】
ここで、図７（ｂ）にて説明したように、第２ファンカバー７００には、右端部、即ち、本体キャビネット１の前方側となる端部に偏向板７０６が設けられている。このため、第２ファンカバー７００の右端部側を通過する空気も、偏向板７０６によって、本体キャビネット１の後方に向かうよう、その向が変えられる。
【００８７】
図１１は、本実施の形態による一つの投写形態を示す図である。本実施の形態のポロジェクタでは、本体キャビネット１の前面が壁に押し付けられるまで、プロジェクタをスクリーンに近づけた状態において、スクリーンに画像を投写することができる。
【００８８】
第１排気口９や第２排気口１０から排出された空気は、ある程度拡がって進む。このため、第１排気口９や第２排気口１０から左方向に空気が排出されると、図１１の破線矢印で示すように、排出された空気の一部が、映像光に掛かる惧れがある。本体キャビネット
１から排出された空気は比較的高温であるため、このような高温の空気が映像光に掛かると、画像に揺れが生じ、画質が低下する惧れがある。
【００８９】
また、本実施の形態では、ＤＭＤが光変調ユニット１５内に密閉されており、ＤＭＤには、供給された空気が直接当たらない。よって、ＤＭＤを冷却する空気から埃等を除所する必要がないため、ファンユニット１６にのみフィルタ１６２が設けられており、本体キャビネット１の吸気口８にはフィルタが設けられていない。このため、埃等を含んだままの空気が、第１排気口９や第２排気口１０から排出され、その空気がスクリーンや壁に当たり、スクリーンや壁が埃等によって汚れる惧れがある。
【００９０】
本実施の形態では、図１１の実線矢印に示すように、スクリーンから離れる方向に向かうように、第１排気口９や第２排気口１０から空気が排出されるので、排出された空気が映像光に掛かるのを防止することができる。よって、画像に揺れが発生したり、スクリーンが汚れたりするのを防止することができる。
【００９１】
特に、本実施の形態では、第１ファンカバー４００の羽板部４０２および第２ファンカバー７００の羽板部７０５が、斜めに延びるように形成されており、第１排気口９および第２排気口１０からは、プロジェクタの後方かつ下方に向けて空気が排出される。即ち、スクリーンに対して垂直な方向（前後方向）および平行な方向（上下方向）の双方において、スクリーンから離れるように空気が排出される。よって、より一層、排出された空気が映像光に掛かるのを防止でき、また、排出された空気がスクリーンや壁に当たるのを防止することができる。
【００９２】
さらに、本実施の形態では、第１排気ファン３００が、その排気面が下方に向ように傾けて配置されているので、第１排気口９から、より下方に向けて空気を排出させることができる。よって、より一層、排出された空気が映像光に掛かるのを防止でき、また、排出された空気がスクリーンや壁に当たるのを防止することができる。
【００９３】
また、本実施の形態では、投写口４が、左右の側面の中間よりも第１排気口９および第２排気口１０から離れる方向（図１１の右方向）に偏った位置に配置されるため、映像光の投写領域が、プロジェクタの左右の中心位置よりも右側にシフトする。このため、第１排気口９および第２排気口１０から排出された空気が映像光に掛かり難くなる。
【００９４】
以上、本発明の実施の形態について説明したが、本発明は、上記実施の形態に限定されるものではない。また、本発明の実施の形態も、特許請求の範囲に示された技術的思想の範囲内において、適宜、種々の変更が可能である。
【００９５】
たとえば、上記実施の形態では、プロジェクタの後方かつ下方に空気が排出されるような構成とされている。しかしながら、後方または下方のどちらか一方向のみに空気が排出される構成としても良い。後方に向けて空気を排出させる場合には、ルーバーの羽板部４０２（７０５）が、本体キャビネット１の底面に対して垂直な方向に延びるように形成される。また、下方に向けて空気を排出させる場合には、ルーバーの羽板部４０２（７０５）が、本体キャビネット１の底面に対して平行な方向に延びるように形成される。ただし、プロジェクタの下方には、通常、設置面が存在するため、設置面が排出される空気の妨げとなりやすい。よって、一方向のみに空気が排出される構成とする場合には、後方に空気が排出されるような構成とすることが望ましい。
【００９６】
また、上記実施の形態では、第１排気口９および第２排気口１０が、本体キャビネット１の左側面に形成されている。しかしながら、これに限らず、第１排気口９および第２排気口１０が、本体キャビネット１の右側面や底面に形成されても良い。
【００９７】
さらに、上記実施の形態では、光変調ユニット１５を構成する光変調素子としてＤＭＤが用いられているが、これに限らず、液晶パネルが用いられても良い。
【００９８】
さらに、上記実施の形態では、光源ランプを有するランプユニット１４が用いられているが、ランプ光源以外の光源、たとえば、レーザ光源やＬＥＤ光源が用いられても良い。
【００９９】
この他、本発明の実施の形態は、特許請求の範囲に示された技術的思想の範囲内において、適宜、種々の変更が可能である。
【符号の説明】
【０１００】
１  本体キャビネット
４  投写口
９  第１排気口（排気口）
１０  第２排気口（排気口）
１４  光源ユニット（光源）
１５  光変調ユニット
１７  投写光学ユニット
１７１  投写レンズユニット（投写レンズ部）
１７２  反射ミラー（ミラー部）
２１  第１排気ユニット（排気ユニット）
２２  第２排気ユニット（排気ユニット）
３００  第１排気ファン（排気ファン）
４００  第１ファンカバー（偏向部材）
４０２  羽板部
５００  遮光カバー（遮光部材）
６００  第２排気ファン（排気ファン）
７００  第２ファンカバー（偏向部材）
７０５  羽板部
【図１】
0005450247.tif 000002
【図２】
0005450247.tif 000003
【図３】
0005450247.tif 000004
【図４】
0005450247.tif 000005
【図５】
0005450247.tif 000006
【図６】
0005450247.tif 000007
【図７】
0005450247.tif 000008
【図８】
0005450247.tif 000009
【図９】
0005450247.tif 000010
【図１０】
0005450247.tif 000011
【図１１】
0005450247.tif 000012